(57)【特許請求の範囲】
【請求項１】
複数個の偏光部がライン状に形成された偏光フィルムと、複数個の画素ラインが一方向に配置された液晶表示パネルが交互に載置され、その載置面に平行の前記一方向の位置を調整可能のステージと、
前記偏光フィルムを取着するフィルム取着面を有し、前記一方向と平行の回転軸の周りに回転するドラムと、
前記ステージと前記ドラムとを前記ステージの表面に沿って前記一方向に垂直の方向に相対的に移動させる駆動部材と、
前記ステージ上から繰り出された偏光フィルムの下面を支持して前記ドラムの前記フィルム取着面に向けて押圧する支持ローラと、
前記ドラムの回転、前記ドラムと前記ステージとの相対的移動及び前記支持ローラの上下動を制御し、前記ステージ上の前記偏光フィルムを前記ドラムの前記フィルム取着面に取着させると共に、前記取着面上の前記偏光フィルムを前記ステージ上の液晶表示パネルの表面に貼り合わせる第１制御部と、
前記ステージ上から前記ドラムの前記取着面に転写されつつある前記偏光フィルムの前記一方向の位置を経時的に検出するカメラと、
前記カメラの検出結果に基づいて、前記偏光フィルムの前記偏光部が、前記液晶表示パネル上でその画素ラインと整合するように、前記ステージの前記一方向の位置を制御する第２制御部と、
を有することを特徴とする偏光フィルムの貼り合わせ装置。
【請求項２】
複数個の偏光部がライン状に形成された偏光フィルムと、複数個の画素ラインが一方向に配置された液晶表示パネルが交互に載置され、その載置面に平行の前記一方向の位置を調整可能のステージと、
前記偏光フィルムを取着するフィルム取着面を有し、前記一方向と平行の回転軸の周りに回転するドラムと、
前記ステージと前記ドラムとを前記ステージの表面に沿って前記一方向に垂直の方向に相対的に移動させる駆動部材と、
前記ステージ上から繰り出された偏光フィルムの下面を支持して前記ドラムの前記フィルム取着面に向けて押圧する支持ローラと、
前記ドラムの回転、前記ドラムと前記ステージとの相対的移動及び前記支持ローラの上下動を制御し、前記ステージ上の前記偏光フィルムを前記ドラムの前記フィルム取着面に取着させると共に、前記取着面上の前記偏光フィルムを前記ステージ上の液晶表示パネルの表面に貼り合わせる第１制御部と、
前記ドラムの前記取着面に取着されている前記偏光フィルムの前記一方向の位置を経時的に検出するカメラと、
前記カメラの検出結果に基づいて、前記偏光フィルムの前記偏光部が、前記液晶表示パネル上でその画素ラインと整合するように、前記ステージの前記一方向の位置を制御する第２制御部と、
を有することを特徴とする偏光フィルムの貼り合わせ装置。
【請求項３】
複数個の偏光部がライン状に形成された偏光フィルムと、複数個の画素ラインが一方向に配置された液晶表示パネルが交互に載置され、その載置面に平行の前記一方向の位置を調整可能のステージと、
前記偏光フィルムを取着するフィルム取着面を有し、前記一方向と平行の回転軸の周りに回転するドラムと、
前記ステージと前記ドラムとを前記ステージの表面に沿って前記一方向に垂直の方向に相対的に移動させる駆動部材と、
前記ステージ上から繰り出された偏光フィルムの下面を支持して前記ドラムの前記フィルム取着面に向けて押圧する支持ローラと、
前記ドラムの回転、前記ドラムと前記ステージとの相対的移動及び前記支持ローラの上下動を制御し、前記ステージ上の前記偏光フィルムを前記ドラムの前記フィルム取着面に取着させると共に、前記取着面上の前記偏光フィルムを前記ステージ上の液晶表示パネルの表面に貼り合わせる第１制御部と、
前記ドラムの前記取着面から前記ステージ上の前記液晶表示パネルの表面に移動しつつある前記偏光フィルムの前記一方向の位置を経時的に検出するカメラと、
前記カメラの検出結果に基づいて、前記偏光フィルムの前記偏光部が、前記液晶表示パネル上でその画素ラインと整合するように、前記ステージの前記一方向の位置を制御する第２制御部と、
を有することを特徴とする偏光フィルムの貼り合わせ装置。
【請求項４】
前記カメラは、前記偏光フィルムの前記一方向の位置を、前記偏光フィルムの前記一方向についての中心位置を基に検出することを特徴とする請求項１乃至３のいずれか１項に記載の偏光フィルムの貼り合わせ装置。
【請求項５】
前記偏光フィルムは、前記一方向の両端部に、夫々、ダミーラインが形成されており、前記カメラはこの２個のダミーラインを検出して、その中間の位置として、前記中心位置を検出することを特徴とする請求項４に記載の偏光フィルムの貼り合わせ装置。
【請求項６】
前記偏光フィルムの製造装置は、前記偏光部に対応する開口部と前記ダミーライン用の開口部を備えたフォトマスクと、配向膜が形成された基材を前記フォトマスクに対して相対的に移動させつつ、前記フォトマスクを介して、偏光光を露光することにより、前記基材上の前記配向膜に対し、帯状に前記画素ラインに対応する偏光部を形成すると共に前記ダミーラインを形成する露光装置とを有することを特徴とする請求項５に記載の偏光フィルムの貼り合わせ装置。
【発明の詳細な説明】
【技術分野】
【０００１】
本発明は、液晶表示パネル上に、ＦＰＲ（Film Patterned Retarder：フィルム偏光）型フィルムを貼り合わせる場合に使用するのに好適の偏光フィルム貼り合わせ装置に関する。
【背景技術】
【０００２】
偏光メガネ方式の３次元液晶表示装置においては、図７に示すように、液晶表示パネル４７の前面に位相差板５０が設けられている（特許文献１及び２）。そして、この液晶表示パネル４７は、バックライト４１の前方に、アレイ基板４３とカラーフィルタ基板４５との間に封入された液晶材４４が配置されており、アレイ基板４３のバックライト４１側の面には、例えば水平の直線偏光の偏光板４２が張り合わされ、カラーフィルタ基板４５の前面には、例えば垂直の直線偏光の偏光板４６が張り合わされている。
【０００３】
バックライト４１からは無偏光の光が出射され、例えば水平直線偏光の光のみが偏光板４２を透過し、アレイ基板４３、液晶材４４及びカラーフィルタ基板４５からなる液晶層により偏光方向を制御された後、例えば垂直直線偏光の光のみが偏光板４６を透過し、直線偏光の光６１となって、液晶表示パネル４７から出射する。
【０００４】
位相差板５０は、その製造に際し、図８に示すように、先ず基材上に配向膜を塗布し、乾燥させた後、露光装置によって露光して、配向膜に直線偏光又は円偏光を形成する。その後、配向膜上に液晶を塗布し、乾燥させ、ＵＶ硬化させることによって、位相差板５０が作製される。そして、この位相差板５０は、位相差が光の波長の１／４波長となるように設計されており、位相差板５０の光軸が偏光板４６の偏光軸に対して４５度の角度となるように液晶表示パネル４７の前面に配置される。これにより、液晶表示パネル４７から出射した直線偏光の光６１は、位相差板５０を通過すると複屈折効果によって円偏光となる。
【０００５】
液晶表示パネル４７の画素は、走査線１ライン毎に右目用画素ラインと左目用画素ラインが交互に配列されており、右目用画素には右目用画像、左目用画素には左目用画像となるように視差画像を表示させる。位相差板５０は、図７に示すように右目用偏光部４８と左目用偏光部４９の２つの領域を有しており、例えば右目用偏光部４８の光軸が偏光板４６の偏光軸に対して＋４５度、左目用偏光部４９の光軸が偏光板４６の偏光軸に対して−４５度となるように設計される。そして、液晶表示パネル４７の右目用画素ラインが位相差板５０の右目用偏光部４８に、液晶表示パネル４７の左目用画素ラインが位相差板５０の左目用偏光部４９に重なるように、液晶表示パネル４７上に位相差板５０が貼り合わされる。これにより、図７（ｂ）及び（ｃ）に示すように位相差板５０を通過した光は、例えば右目用偏光部４８においては右円偏光６２となり、左目用偏光部４９においては左円偏光６３となる。つまり、右目用画素から出射した光の円偏光６２と左目用画素から出射した光の円偏光６３とは向きが異なる。
【０００６】
これらの偏光した光は、図７（ａ）に示すように、偏光特性を有するメガネ５３を装着して、観察する。メガネ５３には偏光板及び位相差板（１／４波長板）が配設されており、右目部５１には、例えば、右円偏光を直線偏光に変更する偏光板と１／４波長板が配置されており、左目部５２には、例えば、左円偏光を直線偏光に変更する偏光板と１／４波長板が配置されている。このメガネ５３を装着した観察者が、位相差板５０を介して液晶表示パネル４７の画像を視認した場合、右目用画素から出射した右円偏光６２は、メガネ５３の右目部５１において直線偏光に変更され観察者の右目に入射するが、左目用画素から出射した左円偏光６３はメガネ５３の右目部５１を通過しない。また、左目用画素から出射した左円偏光６３は、メガネ５３の左目部５２において直線偏光に変更され観察者の左目に入射するが、右目用画素から出射した右円偏光６２はメガネ５３の左目部５２を通過しない。従って、右目には右目用画素の集合である右目用画像が見え、左目には左目用画素の集合である左目用画像が見えることになり、前述したように液晶表示パネル４７に視差画像が表示されているので、観察者は立体画像を視認することができる。
【０００７】
この偏光フィルム型３Ｄディスプレイに使用される位相差板として、ＦＰＲ（Film Patterned Retarder：フィルム偏光）型フィルムが使用され、液晶表示パネルの表面に、この位相差フィルムが張り合わされる。図９は従来のフィルム貼り合わせ装置を示す模式図である。ステージ１０上に偏光フィルム１が載置されており、このステージ１０の一方の端部の近傍には、支持ロール１２がその軸方向を水平にして設置されている。この支持ロール１２の直上域には、ドラム１１が水平軸の周りに回転可能に設置されており、このドラム１１は、その水平回転軸がステージ１０の表面に平行に移動できるようになっている。支持ロール１２は、上下動可能であり、上方に移動して、ドラム１１に転動し、ドラム１１との間で偏光フィルム１を挟持するようになっている。このドラム１１に転動する支持ロール１２の近傍には、アライメントカメラ１４が設置されている。そして、ドラム１１の周面上には、粘着テープが貼着されており、ステージ１０上の偏光フィルム１は支持ロール１２に押圧されてドラム１１の周面に付着し、ドラム１１が矢印方向に回転することにより、偏光フィルム１は、ステージ１０上から、ドラム１１の周面上に転写される。このとき、アライメントカメラ１４により、偏光フィルム１の幅方向の中心位置が検出される。
【０００８】
図１０はドラム１１の周面１１ａ上に貼着された偏光フィルム１を示す展開図であり、この偏光フィルム１には、液晶表示パネルの画素ラインに対応して、右目用の第１偏光部１ａと左目用の第２偏光部１ｂとが交互に形成されている。この偏光フィルム１がドラム１１の周面上に貼着された後、ステージ１０上に液晶表示パネル（図９に図示せず）が載置され、偏光フィルム１の幅方向の中心位置と液晶表示パネルの中心位置とを位置合わせするために、液晶表示パネルを載置するステージ１０の位置が調整された後、ドラム１１が更に図示の反時計方向に１回転以上回転し、かつ液晶表示パネルが載置されたステージ１０を図示の右方に移動させることにより、液晶表示パネルの表面上に、ドラム１１の周面上の偏光フィルム１を転写していく。これにより、偏光フィルム１が液晶表示パネル上に貼り付けられる。図１１に示すように、この偏光フィルム１が、液晶表示パネル２０上に正常に貼り付けられると、液晶表示パネル２０における赤青緑の３個の絵素により構成される１画素が矢印方向に並ぶ右目用の画素ライン２０ａに整合して第１偏光部１ａが重なり、この右目用画素ライン２０ａに隣り合う位置に、同様に赤青緑の３個の絵素により構成される１画素が矢印方向に並ぶ左目用の画素ライン２０ｂに整合して第２偏光部１ｂが重なることになる。その後、偏光フィルム１上に保護膜等を形成して、液晶表示装置が完成する。
【先行技術文献】
【特許文献】
【０００９】
【特許文献１】特開平１０−１６１１０８号公報
【特許文献２】特開２００６−３０４６１号公報
【発明の概要】
【発明が解決しようとする課題】
【００１０】
しかしながら、偏光フィルム１は、フィルム自体に剛性がないと共に、ドラム１１に歪み等が存在すると、図１２（ａ）に示すように、偏光フィルム１が、ドラム１１の周面１１ａ上に歪んで転写されることがある。そうすると、図１２（ｂ）に示すように、偏光フィルム１が液晶表示パネル上に貼り付けられたときに、第１偏光部１ａ及び第２偏光部１ｂがうねりを生じているため、極端な場合には、図１２（ｂ）に破線にて示すように、第１及び第２偏光部１ａ、１ｂが隣の画素ライン上に進入してしまい、クロストークが発生することがある。
【００１１】
本発明はかかる問題点に鑑みてなされたものであって、液晶表示パネルに対する偏光フィルムの貼り合わせ精度を高めることができ、高画質の３Ｄ画像を表示することができる液晶表示装置を製造できる偏光フィルムの貼り合わせ装置を提供することを目的とする。
【課題を解決するための手段】
【００１２】
本願第１発明に係る偏光フィルムの貼り合わせ装置は、
複数個の偏光部がライン状に形成された偏光フィルムと、複数個の画素ラインが一方向に配置された液晶表示パネルが交互に載置され、その載置面に平行の前記一方向の位置を調整可能のステージと、
前記偏光フィルムを取着するフィルム取着面を有し、前記一方向と平行の回転軸の周りに回転するドラムと、
前記ステージと前記ドラムとを前記ステージの表面に沿って前記一方向に垂直の方向に相対的に移動させる駆動部材と、
前記ステージ上から繰り出された偏光フィルムの下面を支持して前記ドラムの前記フィルム取着面に向けて押圧する支持ローラと、
前記ドラムの回転、前記ドラムと前記ステージとの相対的移動及び前記支持ローラの上下動を制御し、前記ステージ上の前記偏光フィルムを前記ドラムの前記フィルム取着面に取着させると共に、前記取着面上の前記偏光フィルムを前記ステージ上の液晶表示パネルの表面に貼り合わせる第１制御部と、
前記ステージ上から前記ドラムの前記取着面に転写されつつある前記偏光フィルムの前記一方向の位置を経時的に検出するカメラと、
前記カメラの検出結果に基づいて、前記偏光フィルムの前記偏光部が、前記液晶表示パネル上でその画素ラインと整合するように、前記ステージの前記一方向の位置を制御する第２制御部と、
を有することを特徴とする。
【００１３】
本願第２発明に係る偏光フィルムの貼り合わせ装置は、上記第１発明とは、カメラが検出する偏光フィルムの状態が異なる。即ち、本願第２発明のカメラは、
前記ドラムの前記取着面に取着されている前記偏光フィルムの前記一方向の位置を経時的に検出するものであり、その他の構成は第１発明と同一である。
【００１４】
本願第３発明に係る偏光フィルムの貼り合わせ装置は、上記第１発明及び第２発明とは、カメラの検出する偏光フィルムの状態が異なり、本願第３発明のカメラは、
前記ドラムの前記取着面から前記ステージ上の前記液晶表示パネルの表面に移動しつつある前記偏光フィルムの前記一方向の位置を経時的に検出するものであり、その他の構成は第１発明及び第２発明と同一である。
【００１５】
これらの第１発明乃至第３発明において、例えば、前記カメラは、前記偏光フィルムの前記一方向の位置を、前記偏光フィルムの前記一方向についての中心位置を基に検出するものである。
【００１６】
この場合に、例えば、前記偏光フィルムは、前記一方向の両端部に、夫々、ダミーラインが形成されており、前記カメラはこの２個のダミーラインを検出して、その中間の位置として、前記中心位置を検出する。そして、例えば、前記偏光フィルムは、以下の製造装置により製造することができる。即ち、前記偏光フィルムの製造装置は、前記偏光部に対応する開口部と前記ダミーライン用の開口部を備えたフォトマスクと、配向膜が形成された基材を前記フォトマスクに対して相対的に移動させつつ、前記フォトマスクを介して、偏光光を露光することにより、前記基材上の前記配向膜に対し、帯状に前記画素ラインに対応する偏光部を形成すると共に前記ダミーラインを形成する露光装置とを有することを特徴とする。
【発明の効果】
【００１７】
本発明によれば、ドラムに取着される際の偏光フィルムの一方向の位置、ドラムに取着された偏光フィルムの一方向の位置、又はドラムから液晶表示パネルの表面に移動しつつある偏光フィルムの一方向の位置を、カメラにより検出し、その検出結果に基づいて、液晶表示パネルが載置されたステージの一方向の位置を調整する。これにより、ドラムに取着された際の偏光フィルムの状態が歪みを有するものであっても、液晶表示パネル上において、画素ラインに対応して偏光部が重なるようにすることができ、クロストークの発生を防止することができる。
【図面の簡単な説明】
【００１８】
【図１】本発明の実施形態の偏光フィルムの貼り合わせ装置を示す模式図である。
【図２】（ａ）はドラム１１上の偏光フィルム１を示す展開図、（ｂ）はステージ１０上の液晶表示パネル２０を示す図である。
【図３】（ａ）乃至（ｅ）は、貼り合わせ工程を示す模式図である。
【図４】従来のフィルムの貼り合わせ方法を示す図である。
【図５】偏光フィルム１の第１偏光部１ａ及び第２偏光部１ｂの形成方法を示す図である。
【図６】本発明の実施形態のフィルムの貼り合わせ方法を示す図である。
【図７】従来の３次元液晶表示装置及びその３次元液晶表示装置を観察するためのメガネを示す模式図である。
【図８】位相差板の作製フローを示す図である。
【図９】従来のフィルム貼り合わせ装置を示す模式図である。
【図１０】ドラム上の偏光フィルム１を示す展開図である。
【図１１】偏光フィルム１が液晶表示パネル２０上に正確に張り合わされた状態を示す平面図である。
【図１２】（ａ）はドラム上に歪みをもった状態で張り合わされた偏光フィルム１を示す展開図、（ｂ）は歪みをもつ偏光フィルム１を液晶表示パネル上に貼り合わせた状態を示す平面図である。
【発明を実施するための形態】
【００１９】
以下、本発明の実施の形態について、添付の図面を参照して具体的に説明する。図１は本発明の実施形態に係る偏光フィルムの貼り合わせ装置を示す模式図、図２（ａ）はドラム１１のフィルム取着面に取着された偏光フィルムを示す展開図、（ｂ）は液晶表示パネル上に貼り合わされた偏光フィルムを示す平面図、図３（ａ）乃至（ｅ）は偏光フィルムの貼り合わせ工程を示す模式図である。ステージ１０上に偏光フィルム１がその前端部をステージ１０から若干前方に延出させて載置され、この偏光フィルム１の前端部が支持ローラ１２により支持されている。ステージ１０は、図３（ａ）に示すように、その上面に空気の吸引孔１０ａが多数形成されており、ステージ１０上に載置された偏光フィルム１を吸引吸着して、固定するようになっている。支持ローラ１２の直上には、ドラム１１が配置されており、このドラム１１の周面１１ａに粘着テープ１１ｂが設けられている。そして、支持ローラ１２によりドラム１１に向けて押圧された偏光フィルム１が粘着テープ１１ｂに貼着される。支持ローラ１２は上下動可能であり、上端に移動したときに偏光フィルム１をドラム１１との間で挟持する。図３（ａ）に示すように、偏光フィルム１がドラム１１と支持ローラ１２との間に噛み込まれた直後の偏光フィルム１の幅方向の両端部を検出する２個のカメラ１５が設置されている。また、カメラ１６は偏光フィルム１又は液晶表示パネル２０の前端及び後端を検出するアライメントカメラである。
【００２０】
ステージ１０はその載置面を水平にして設置されており、ドラム１１はステージ１０の載置面に平行であって一方向に平行の回転軸の周りに回転可能に設置されている。また、ステージ１０は、ドラム１１の回転軸方向の位置、即ち、前記一方向の位置を調整可能になっている。更に、ステージ１０とドラム１１とは、適宜の駆動部材により、ステージ１０の載置面に沿って前記一方向に垂直の方向に相対的に移動する。具体的には、例えば、図２（ｂ）に示すように、液晶表示パネル２０を載置したステージ１０は、前記一方向をＹ方向として、このＹ方向に直交するＸ方向（一方向に直交する方向）に移動する。このとき、ドラム１１は、その回転軸が移動せず、回転のみ行う。そして、このステージ１０は前述のごとく一方向（Ｙ方向）の位置を調整可能であるので、偏光フィルム１の貼り合わせのために、Ｘ方向に移動する過程で、前記一方向（Ｙ方向）の位置を調整すると、矢印にて示すように、若干蛇行して移動することになる。
【００２１】
次に、偏光フィルム１の前記一方向の位置を経時的に検出する方法について説明する。図４は従来のフィルム貼り合わせ装置における位置合わせ方法を示す図である。偏光フィルム１には、右目用の第１偏光部１ａと左目用の第２偏光部１ｂとが液晶表示パネルの画素ラインに対応して交互に形成されており、この第１偏光部１ａ及び第２偏光部１ｂが形成されたアクティブ領域の両外側に、夫々ダミーマーク３０ａ、３０ｂが形成されている。そして、カメラ１５により、このダミーマーク３０ａ、３０ｂを検出し、その中間の位置を、偏光フィルム１の中心点としていた。この偏光フィルム１の中心点が、液晶表示パネル２０の中心点と一致するように、偏光フィルム１を液晶表示パネル２０に重ねて貼り合わせていた。この場合、偏光フィルム１にダミーマークを形成するための工程が、別途必要であった。
【００２２】
そこで、本実施形態においては、偏光フィルム１の第１偏光部１ａ及び第２偏光部１ｂを形成するための露光時に、ダミーラインを形成する。このように、第１偏光部１ａ及び第２偏光部１ｂの形成時に、位置合わせ用のダミーラインも形成することにより、ダミーマーク３０ａ、３０ｂの形成工程を削減することができる。図５は偏光フィルム（ＦＰＲ）１の製造工程を示す平面図である。偏光フィルム１の基材３５が白抜矢印方向に搬送され、この基材３５の搬送域に、フォトマスク３１が配置されている。このフォトマスク３１には、基材３５の幅方向に複数個の矩形の開口３２が設けられており、この開口３２の幅及び位置は、液晶表示パネルの例えば右目用の画素ラインの幅及び位置に対応している。そして、この開口３２を介して基材３５上の配向膜が露光されることにより、右目用の円偏光をもつ第１偏光部１ａが形成される。同様に、このフォトマスク３１の下流側に左目用の第２偏光部１ｂを形成するためのフォトマスク３６が配置されており、配向膜がこのフォトマスク３６の開口３７を介して露光されることにより、左目用の円偏光をもつ第２偏光部１ｂが形成される。
【００２３】
而して、本実施形態においては、偏光フィルム１のアクティブ領域の両外側の位置に対応して、フォトマスク３１に開口３３ａ、３３ｂが形成されている。これにより、配向部形成用の露光時に、偏光フィルム１のアクティブ領域の両外側の位置の配向膜に、ダミーライン３４ａ，３４ｂが形成される。このように、偏光フィルム１のアクティブ領域の両外側にダミーライン３４ａ、３４ｂを形成することにより、ダミーライン３４ａ、３４ｂの中間の位置として、偏光フィルム１の中心点を経時的に検出することができる。
【００２４】
次に、上述のごとく構成された本実施形態の偏光フィルムの貼り合わせ装置の動作について説明する。先ず、図１及び図３（ａ）乃至（ｃ）に示すように、ステージ１０上に偏光フィルム１がその前端部がステージ１０から延出するように載置され、支持ローラ１２が上昇して、この偏光フィルム１の延出部の下面をドラム１１に向けて押圧する。これにより、偏光フィルム１の前端部がドラム１１の粘着テープ１１ｂに接触して偏光フィルム１の前端部がドラム１１に貼着される。そして、ドラム１１が図示の反時計方向に回転することにより、ステージ１０上の偏光フィルム１がドラム１１の取着面１１ａに取着され、ステージ１０からドラム１１に転写される。このとき、カメラ１５が、転写されつつある偏光フィルム１の両側部のダミーライン３４ａ、３４ｂを検出し、ダミーライン３４ａ、３４の中間位置として、偏光フィルム１の中心点ＣＬを経時的に検出する。このため、ドラム１１に取着された偏光フィルム１の状態を検出することができる。即ち、図２（ａ）に示すように、偏光フィルム１が歪んでドラム１１に取着され、その第１偏光部１ａ及び第２偏光部１ｂがうねりをもっている場合は、その中心点ＣＬも同様にうねりをもつことが把握され、カメラ１５の検出データとして、偏光フィルム１の中心点ＣＬの軌跡を検出することができる。なお、偏光フィルム１にはその表面に保護フィルムが貼着されているので、この保護フィルムを剥離する。
【００２５】
次いで、図３（ｄ）に示すように、ステージ１０上に液晶表示パネル２０を載置して吸引吸着する。その後、液晶表示パネル２０の前端の中心点と、偏光フィルム１の前端の中心点ＣＬとが一致するように、ステージ１０の一方向の位置を調整する。また、アライメントカメラ１６により液晶表示パネル２０の前記一方向に垂直の方向の位置を調整する。そして、図３（ｅ）に示すように、偏光フィルム１が取着されたドラム１１を反時計方向に回転させ、同時に、ステージ１０を一方向に垂直の方向に移動させる。即ち、図２（ｂ）に示すように、液晶表示パネル２０が吸着固定されたステージ１０をＸ方向（一方向に垂直の方向）に移動させつつ、回転軸が所定位置に不動のドラム１１を反時計方向に回転させて、ドラム１１上の偏光フィルム１を液晶表示パネル２０上に貼り合わせる。このとき、ドラム１１は回転のみを行い、その位置は移動しないので、図２（ａ）に直線矢印にて示すように、偏光フィルム１は、ドラム１１上に取着された状態のままで、そのうねりを有したまま、液晶表示パネル２０上に重ねられる。一方、ステージ１０上の液晶表示パネル１は、カメラ１５により検出された偏光フィルム１の中心点ＣＬの軌跡に合わせて、Ｙ方向の位置が調整される。これにより、液晶表示パネル２０は、図２（ｂ）にうねりをもつ矢印にて示すように、Ｘ方向に移動する際に、Ｙ方向にうねりをもつように移動する。従って、偏光フィルム１がドラム１１上に巻き取られた際の歪みによるうねりを、偏光フィルム１を液晶表示パネル２０に貼り合わせる際の液晶表示パネル２０のＹ方向の位置調整により解消し、図６に示すように、液晶表示パネル２０の右目用の画素ライン２０ａ上に高精度で偏光フィルム１の第１偏光部１ａを重ね、左目用の画素ライン２０ｂ上に高精度で偏光フィルム１の第２偏光部１ｂを重ねることができる。これにより、クロストークがなく高画質の３Ｄ画像を表示する３Ｄ液晶表示装置を得ることができる。
【００２６】
なお、上記実施形態においては、ステージ１０をＸ方向（一方向に垂直の方向）に移動させて、ドラム１１上の偏光フィルム１をステージ１０上の液晶表示パネル２０上に貼り合わせているが、本発明はこれに限らず、ドラム１１を回転させると共に、このドラム１１の回転軸をＸ方向に移動させて、偏光フィルム１を液晶表示パネル２０上に貼り合わせることとしてもよい。偏光フィルム１をドラム１１に取着させる工程も同様である。また、上記実施形態においては、カメラ１５は、ドラム１１に取着される際の偏光フィルム１の一方向の位置を検出するものであるが、本発明はこれに限らず、カメラ１５は、ドラム１１に取着された偏光フィルム１の一方向の位置を検出しても良いし、又は、カメラ１５は、ドラム１１から液晶表示パネル２０の表面に移動しつつある偏光フィルム１の一方向の位置を検出することとしても良い。このカメラ１５の検出結果に基づいて、液晶表示パネル２０が載置されたステージ１０の一方向の位置を調整する。
【産業上の利用可能性】
【００２７】
本発明により、液晶表示パネル上に高精度で偏光フィルムを貼り合わせることができ、３Ｄ液晶表示装置の高画質化に多大の貢献をなす。
【符号の説明】
【００２８】
１：偏光フィルム
１ａ：第１偏光部
１ｂ：第２偏光部
１０：ステージ
１１：ドラム
２０：液晶表示パネル
２０ａ：右目用画素ライン
２０ｂ：左目用画素ライン
３４ａ、３４ｂ：ダミーライン
ＣＬ：中心点
【図１】
0005953071.tif 000002
【図２】
0005953071.tif 000003
【図３】
0005953071.tif 000004
【図４】
0005953071.tif 000005
【図５】
0005953071.tif 000006
【図６】
0005953071.tif 000007
【図７】
0005953071.tif 000008
【図８】
0005953071.tif 000009
【図９】
0005953071.tif 000010
【図１０】
0005953071.tif 000011
【図１１】
0005953071.tif 000012
【図１２】
0005953071.tif 000013